(57)【要約】      （修正有）【課題】少ない労力、時間で、記事を編集して、迅速かつ確実に、新聞社等に送信できるようにする。【解決手段】パソコン１０は、付加された処理情報（「ＭＥＭＯ：」、「ＭＡＩＬ：」）と新聞記事９０の情報とを２次元バーコード５０に変換し、画面表示部１０ａ上に２次元バーコード５０を表示する処理を行う。携帯電話機２０は、表示された２次元バーコード５０を撮影し、新聞記事９０の情報と、処理情報（「ＭＥＭＯ：」、「ＭＡＩＬ：」）とに復合する復合手段と、復合された処理情報の内容（「ＭＥＭＯ：」、「ＭＡＩＬ：」）に基づいて、記事編集画面に新聞記事９０が表示された場合には、携帯電話機２０の入力操作部２０ｂの操作に応じて新聞記事９０を編集する記事編集手段と、また記事送信画面に記事が表示された場合には、携帯電話機２０の入力操作部２０ｂの操作に応じて新聞記事９０を記事受信システム３１に送信する送信手段とが設けられている。【選択図】  図２
2006293709.tif 000002
【特許請求の範囲】
【請求項１】
記事を編集して、編集した記事を記事受信システムに送信する記事編集・送信システムであって、
パーソナルコンピュータには、
記事の情報を２次元バーコードに変換して、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事の情報に復号する復号手段と、
復合された記事を編集する記事編集手段と、
編集された記事を記事受信システムに送信する送信手段と
が設けられていること
を特徴とする記事編集・送信システム。
【請求項２】
記事を編集して、編集した記事を記事受信システムに送信する記事編集・送信システムであって、
パーソナルコンピュータには、
選択操作に応じて、記事が未完成記事であるか、または完成記事であるかを判別するための処理情報を記事情報に付加して、これら付加された処理情報と記事情報とを２次元バーコードに変換し、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事情報と、処理情報とに復合する復合手段と、
復合された処理情報の内容に基づいて、未完成記事であるか、または完成記事であるかを判別する判別手段と、
未完成記事であるか、または完成記事であるかに応じて、復合された記事情報を、記事編集画面、または記事送信画面に、表示する表示手段と、
記事編集画面に記事が表示された場合には、操作に応じて記事を編集する記事編集手段と、
記事送信画面に記事が表示された場合には、操作に応じて記事を記事受信システムに送信する送信手段と
が設けられていること
を特徴とする記事編集・送信システム。
【請求項３】
前記パーソナルコンピュータは、携行可能なパーソナルコンピュータであること
を特徴とする請求項１または２記載の記事編集・送信システム。
【請求項４】
記事は、新聞記事であり、記事受信システムは、新聞記事受信システムであること
を特徴とする請求項１または２記載の記事編集・送信システム。
【請求項５】
携帯電話機の送信手段は、パケット通信方式にしたがい、編集した記事を記事受信システムに送信する送信手段であること
を特徴とする請求項１または２記載の記事編集・送信システム。
【請求項６】
２次元バーコードには、送信先のメールアドレスの情報が付加されており、
前記復合手段は、２次元バーコード中のメールアドレスの情報を復合し、
前記送信手段は、復合されたメールアドレスに向けて記事を送信すること
を特徴とする請求項１または２記載の記事編集・送信システム。
【請求項７】
新聞記事の編集・送信に用いられ、パーソナルコンピュータにインストールされるプログラムであって、
操作に応じて、新聞記事の送信先のメールアドレスの情報を新聞記事情報に付加するとともに、
選択操作に応じて、新聞記事が未完成記事であるか、または完成記事であるかを判別するための処理情報を新聞記事情報に付加して、これら付加された情報と新聞記事情報とを２次元バーコードに変換し、
変換された２次元バーコードを画面上に表示する処理
を行う新聞記事編集・送信用プログラム。
【請求項８】
新聞記事の編集・送信に用いられる携帯電話機であって、
新聞記事の送信先のメールアドレスの情報と、新聞記事が未完成記事であるか、完成記事であるかを判別するための処理情報と、新聞記事情報とを含む２次元バーコードを、撮影するカメラ手段と、
撮影された２次元バーコードを、新聞記事情報と、処理情報とに復合する復合手段と、
復合された処理情報の内容に基づいて、新聞記事が未完成記事であるか、または完成記事であるかを判別する判別手段と、
新聞記事が未完成記事であるか、または完成記事であるかに応じて、復合された新聞記事情報を、記事編集画面、または記事送信画面に、表示する表示手段と、
記事編集画面に新聞記事が表示された場合には、操作に応じて新聞記事を編集する記事編集手段と、
記事送信画面に新聞記事が表示された場合には、操作に応じて記事を、復合されたメールアドレスに向けて送信する送信手段と
が設けられていること
を特徴とする新聞記事編集・送信用の携帯電話機。
【請求項９】
新聞記事の編集・送信に用いられる２次元バーコードであって、
新聞記事の送信先のメールアドレスの情報と、新聞記事が未完成記事であるか、完成記事であるかを判別するための情報と、新聞記事情報とを含む新聞記事編集・送信用の２次元バーコード。
【請求項１０】
新聞記事を編集して、編集した新聞記事を新聞記事受信システムに送信する新聞記事編集・送信方法であって、
新聞記事の情報を２次元バーコードに変換する工程と、
画面上に２次元バーコードを表示する工程と、
画面上に表示された２次元バーコードを撮影する工程と、
撮影された２次元バーコードを、新聞記事の情報に復合する工程と、
復合された新聞記事を編集する工程と、
編集された新聞記事を新聞記事受信システムに送信する工程と
を含むことを特徴とする新聞記事編集・送信方法。
【請求項１１】
パケット通信方式にしたがい、編集した新聞記事を新聞記事受信システムに送信すること
を特徴とする請求項１０記載の新聞記事編集・送信方法。
【発明の詳細な説明】
【技術分野】
【０００１】
本発明は、新聞、雑誌等の記事を編集して、記事情報を送信するシステム、新聞記事を編集して、新聞記事情報を送信するために用いられるプログラム、携帯電話機、２次元バーコード、新聞記事編集・送信方法に関する。
【背景技術】
【０００２】
近年は、イベント会場や災害現場等の取材現場でとったメモを新聞社に持ち帰って、新聞社で新聞記事を作成するのではなくて、取材現場で、新聞に掲載できる完成原稿を作成してしまい、そのまま新聞社に送信することが多い。この場合、出先で作成された完成原稿を迅速に、かつ確実に、短時間で労力少なく、遠隔地にある新聞社に送ることが要請されている。
【０００３】
近年、通信回線が整備され通信コストが低下していることから、新聞記事のデータを通信回線を介して新聞社に送信するシステムが開発され、利用されている。
【０００４】
図１は、取材現場で新聞記事を編集して、編集した新聞記事を新聞社に送信する従来の新聞記事編集・送信システムを示している。
【０００５】
すなわち、取材現場の記者は、パーソナルコンピュータ（以下、パソコン）１０のワードプロセッサ機能を利用して、新聞記事の完成原稿を作成する。
【０００６】
パソコン１０には、新聞社３０の記事受信システム３１との間で通信を行うべく、携帯電話機２０が接続される。
【０００７】
すなわち、パソコン１０の端子と携帯電話機２０の端子とがケーブル４０によって接続される。この場合、パソコン１０は、完成原稿記事を送信する送信機として機能し、携帯電話機２０は、ディジタルデータの完成原稿記事を、アナログ信号に変調するモデムとして機能する。
【０００８】
パソコン１０にインストールされた送信用のソフトウエアが起動されると、ダイヤルアップ接続によって、携帯電話機１０と新聞社３０側のモデム３３との間の音声電話回線としての通信経路４１が確実が確立される。これによりパソコン１０内に保存された新聞記事の完成原稿のデータが、ケーブル４０、携帯電話機２０、通信経路４１、モデム３３を介して、新聞社３０の記事受信システム３１に送信される。  
また、取材現場に、ブロードバンドルータ４２に接続する端子がある場合には、パソコン１０の端子とブロードバンドルータ４２の端子とがケーブル４３によって接続される。
【０００９】
パソコン１０にインストールされた送信用のソフトウエアが起動されると、パソコン１０内に保存された新聞記事の完成原稿のデータが、ケーブル４３、ブロードバンドルータ４２、ＡＤＳＬ（インターネットアクセス回線）４４、インターネット４５を介して、新聞社３０の記事受信システム３１に送信される。
【００１０】
新聞社３０の新聞制作システム３２には、記事受信システム３１で受信された新聞記事のデータが取り込まれ、取り込まれた新聞記事のデータを用いて新聞紙面を制作する処理が行われる。
【００１１】
また、新聞記事の取材を携帯可能な端末を利用して行うことに関する発明は、以下のように公知技術となっている。
【００１２】
（従来技術１）
特許文献１には、携帯電話機とは別に設けられた携帯端末（パソコン）に、取材した文字情報、画像情報をに取り込むとともに、携帯端末の位置をＧＰＳセンサによって検出して、取材者の位置とともに、取材した文字情報、画像情報を、ＰＨＳ基地局を介して、電子新聞のサーバに送信するという発明が記載されている。
【００１３】
（従来技術２）
特許文献２には、複数の取材記者に、携帯端末（パソコン）を持たせ、各携帯端末に、取材予定情報を入力して、インターネットのような公衆回線あるいは専用回線を介して、新聞社のデスクに送信して、デスク側に設けられたデータベースに格納するという発明が記載されている。
【００１４】
一方、２次元コードに関する発明は、以下のように公知技術となっている。
【００１５】
（従来技術３）
特許文献３には、電子メールアドレス、電話番号、ファックス番号、ＵＲＬ、個人情報を２次元バーコード化し、その２次元バーコードをポスタ等に印刷したり、パソコンの画面上に表示したりするという発明が記載されている。
【００１６】
（従来技術４）
特許文献４には、空気調和機のエラーコードを２次元コードに変換して、空気調和機に設けられた表示器の画面表示部に表示し、この画面表示部上の２次元コードを携帯電話機で撮影して、携帯電話機から通信網を介して故障対応センタに送信するという発明が記載されている。
【特許文献１】特開平８−３２２０９１号公報
【特許文献２】特開２００３−２５６５４８号公報
【特許文献３】特開平１０−２５４８０２号公報
【特許文献４】特開２００４−２４６５５１号公報
【発明の開示】
【発明が解決しようとする課題】
【００１７】
イベント会場、災害現場、記者会見場などの取材先は手狭で混雑していることが多い。このためノートパソコン等の小型のパソコンといえども、パソコン１０を据え付けて展開するスペースに乏しく、パソコン１０のキーボード等を操作して完成原稿を作成することは、困難であることが多い。また、パソコン１０を置いて展開するスペースに乏しい場合には、取材現場でとりあえず手書きで取材メモをとっておき、そのあと取材現場の中心から離れた場所まで移動して、パソコン１０を設置できるスペースを探してから、取材メモに基づきパソコン１０のキーボード等を操作して完成原稿を作成することになる。しかし、この場合には、手書きの取材メモの作成や、パソコン１０を設置できるスペースの探索に労力や時間を要し、新聞記事を送信するまでに多大な労力、時間が費やされる。
【００１８】
予定原稿が既に出来上がっており、これを新聞社３０に送信済みであれば、パソコン１０を設置して完成原稿に仕上げることができない状況であったとしても、予定原稿で足りない部分や確認が必要な部分（個人名、時刻、場所）のみを携帯電話機２０の文字入力機能を利用して打ち込み、その情報を携帯電話機２０のメール機能を利用して、新聞社３０に送信して、新聞社３０において完成原稿に編集することも考えられる。しかし、この場合には、新聞社３０側で、送られたきた情報が、どの予定原稿のものであるかを照合、確認しなければならず、その照合、確認に手間取り、結果的に新聞記事の完成までに多大な労力、時間が費やされることになる。
【００１９】
また、取材現場でパソコン１０に保存された完成記事のデータを送信するには、ケーブル４０、４３が必須となる。このためケーブル４０、４３を紛失したり、ケーブル４０、４３が故障している場合には、新聞記事を送信できない。また、取材現場が狭い場所では、ケーブル４０、４３が邪魔である。
【００２０】
また、携帯電話機２０とパソコン１０とをケーブル４０によって接続して送信しようとしても、通信状態が良好でないときには、携帯電話機２０とパソコン１０に加えてケーブル４０を持ちながら、通信状態が良い場所を求めて右往左往しなければならず、記者に多大な負担を課す。
【００２１】
また、イベント会場、災害現場、記者会見場などの取材現場では、多数の人間が狭いエリアで同時に携帯電話機２０を使用する状況が生じやすい。このため輻輳が生じ易く、音声電話回線としての通信経路４１を確立することが困難となる。これにより、完成原稿が出来上がっていても、迅速かつ確実に完成原稿を新聞社３０に送信できないことがある。
【００２２】
本発明は、こうした実状に鑑みてなされたものであり、取材現場が狭く、パソコン１０の設置、展開が困難でケーブルが邪魔となる状況であったとしても、少ない労力かつ短時間で、記事を編集して、迅速かつ確実に、新聞社等に送信できるようにすることを解決課題とするものである。
【課題を解決するための手段】
【００２３】
第１発明は、
記事を編集して、編集した記事を記事受信システムに送信する記事編集・送信システムであって、
パーソナルコンピュータには、
記事の情報を２次元バーコードに変換して、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事の情報に復合する復合手段と、
復合された記事を編集する記事編集手段と、
編集された記事を記事受信システムに送信する送信手段と
が設けられていること
を特徴とする。
【００２４】
第２発明は、
記事を編集して、編集した記事を記事受信システムに送信する記事編集・送信システムであって、
パーソナルコンピュータには、
選択操作に応じて、記事が未完成記事であるか、または完成記事であるかを判別するための処理情報を記事情報に付加して、これら付加された処理情報と記事情報とを２次元バーコードに変換し、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事情報と、処理情報とに復合する復合手段と、
復合された処理情報の内容に基づいて、未完成記事であるか、または完成記事であるかを判別する判別手段と、
未完成記事であるか、または完成記事であるかに応じて、復合された記事情報を、記事編集画面、または記事送信画面に、表示する表示手段と、
記事編集画面に記事が表示された場合には、操作に応じて記事を編集する記事編集手段と、
記事送信画面に記事が表示された場合には、操作に応じて記事を記事受信システムに送信する送信手段と
が設けられていること
を特徴とする。
【００２５】
第３発明は、第１発明または第２発明において、
前記パーソナルコンピュータは、携行可能なパーソナルコンピュータであること
を特徴とする。
【００２６】
第４発明は、第１発明または第２発明において、
記事は、新聞記事であり、記事受信システムは、新聞記事受信システムであること
を特徴とする。
【００２７】
第５発明は、第１発明または第２発明において、
携帯電話機の送信手段は、パケット通信方式にしたがい、編集した記事を記事受信システムに送信する送信手段であること
を特徴とする。
【００２８】
第６発明は、第１発明または第２発明において、
２次元バーコードには、送信先のメールアドレスの情報が付加されており、
前記復合手段は、２次元バーコード中のメールアドレスの情報を復合し、
前記送信手段は、復合されたメールアドレスに向けて記事を送信すること
を特徴とする。
【００２９】
第７発明は、
新聞記事の編集・送信に用いられ、パーソナルコンピュータにインストールされるプログラムであって、
操作に応じて、新聞記事の送信先のメールアドレスの情報を新聞記事情報に付加するとともに、
選択操作に応じて、新聞記事が未完成記事であるか、または完成記事であるかを判別するための処理情報を新聞記事情報に付加して、これら付加された情報と新聞記事情報とを２次元バーコードに変換し、
変換された２次元バーコードを画面上に表示する処理
を行うことを特徴とする。
【００３０】
第８発明は、
新聞記事の編集・送信に用いられる携帯電話機であって、
新聞記事の送信先のメールアドレスの情報と、新聞記事が未完成記事であるか、完成記事であるかを判別するための処理情報と、新聞記事情報とを含む２次元バーコードを、撮影するカメラ手段と、
撮影された２次元バーコードを、新聞記事情報と、処理情報とに復合する復合手段と、
復合された処理情報の内容に基づいて、新聞記事が未完成記事であるか、または完成記事であるかを判別する判別手段と、
新聞記事が未完成記事であるか、または完成記事であるかに応じて、復合された新聞記事情報を、記事編集画面、または記事送信画面に、表示する表示手段と、
記事編集画面に新聞記事が表示された場合には、操作に応じて新聞記事を編集する記事編集手段と、
記事送信画面に新聞記事が表示された場合には、操作に応じて記事を、復合されたメールアドレスに向けて送信する送信手段と
が設けられていることを特徴とする。
【００３１】
第９発明は、
新聞記事の編集・送信に用いられる２次元バーコードであって、
新聞記事の送信先のメールアドレスの情報と、新聞記事が未完成記事であるか、完成記事であるかを判別するための情報と、新聞記事情報とを含むことを特徴とする。
【００３２】
第１０発明は、
新聞記事を編集して、編集した新聞記事を新聞記事受信システムに送信する新聞記事編集・送信方法であって、
新聞記事の情報を２次元バーコードに変換する工程と、
画面上に２次元バーコードを表示する工程と、
画面上に表示された２次元バーコードを撮影する工程と、
撮影された２次元バーコードを、新聞記事の情報に復合する工程と、
復合された新聞記事を編集する工程と、
編集された新聞記事を新聞記事受信システムに送信する工程と
を含むことを特徴とする。
【００３３】
第１１発明は、第１０発明において、
パケット通信方式にしたがい、編集した新聞記事を新聞記事受信システムに送信すること
を特徴とする。
【００３４】
本発明の装置発明（第１発明〜第８発明）を、図面に即して説明する。
【００３５】
パソコン１０は、たとえば液晶ディスプレイ等の画面表示部１０ａを備えた携行可能なパソコン、たとえばノート型パソコンが使用される（第３発明；図２）。
【００３６】
携帯電話機２０は、液晶ディスプレイ等の画面表示部２０ａと、入力操作部２０ｂとを備えた、カメラ付き携帯電話機が使用される（図２）。
【００３７】
パソコン１０には、選択操作に応じて、新聞記事９０（図４（ａ））が未完成記事であるか、または完成記事であるかを判別するための処理情報（図４（ｂ）の「ＭＥＭＯ：」、「ＭＡＩＬ：」）を新聞記事情報に付加して（図３のステップ１０３）、これら付加された処理情報（「ＭＥＭＯ：」、「ＭＡＩＬ：」）と新聞記事９０の情報とを２次元バーコード５０（図２）に変換し（図３のステップ１０８）、画面表示部１０ａ上に２次元バーコード５０（図４（ｃ）の表示部６３ｂ）を表示する処理（図３のステップ１１３、１１４）を行うプログラムがインストールされている。
【００３８】
一方、携帯電話機２０には、パソコン１０の画面表示部１０ａ上に表示された２次元バーコード５０を撮影するカメラ手段（図３のステップ２０１）と、撮影された２次元バーコード５０を、新聞記事９０の情報と、処理情報（「ＭＥＭＯ：」、「ＭＡＩＬ：」）とに復合する復合手段（図３のステップ２０２）と、復合された処理情報の内容（「ＭＥＭＯ：」、「ＭＡＩＬ：」）に基づいて、新聞記事９０が未完成記事であるか、または完成記事であるかを判別する判別手段（図３のステップ２０３）と、新聞記事９０が未完成記事であるか、または完成記事であるかに応じて、復合された新聞記事９０の情報を、記事編集画面（図５（ａ）の表示画面７１）、または記事送信画面（図５（ｂ）の表示画面７２）に、表示する表示手段（図３のステップ２０４、ステップ２０８）と、記事編集画面７１に新聞記事９０が表示された場合には、携帯電話機２０の入力操作部２０ｂ（図２）の操作に応じて新聞記事９０を編集する記事編集手段（図３のステップ２０４）と、記事送信画面７２に記事が表示された場合には、携帯電話機２０の入力操作部２０ｂ（図２）の操作に応じて新聞記事９０を記事受信システム３１（図２）に送信する送信手段（ステップ２０９）とが設けられている。送信はパケット通信方式にしたがい行われる（第５発明）。
【００３９】
本発明に使用される２次元バーコード５０は、新聞記事９０の編集・送信に用いられる２次元バーコードであって、新聞記事９０の送信先のメールアドレス６２ａの情報と、新聞記事９０が未完成記事であるか、完成記事であるかを判別するための情報（「ＭＥＭＯ：」、「ＭＡＩＬ：」）と、新聞記事９０の情報とを含むことを特徴としている（第９発明；図４（ａ）、（ｂ）、（ｃ））。
【００４０】
また、本発明の方法の発明（第１０発明、第１１発明）を図面に即して説明すると、図２に示すように、パソコン１０内で新聞記事９０の情報が２次元バーコード５０に変換され（Ｓ１）、ついで、パソコン１０の画面表示部１０ａ上に２次元バーコード５０が表示され（Ｓ２）、ついで、パソコン１０の画面表示部１０ａ上に表示された２次元バーコード５０がカメラ付き携帯電話機２０によって撮影され（Ｓ３）、ついで、撮影された２次元バーコード５０が、携帯電話機２０内で、新聞記事９０の情報に復合され（Ｓ４）、ついで、復合された新聞記事９０が携帯電話機２０内で編集され（Ｓ５）、ついで、編集された新聞記事９０が携帯電話機２０から新聞社３０の新聞記事受信システム３１に送信される（Ｓ６）。すなわち、新聞記事９０がパケット通信方式にしたがい（第１１発明）、インターネット４５を経由して、新聞社３０のメールサーバ４６またはＷＥＢサーバ（記事受信サーバ）４７に送信され、サーバ４６または４７を介して新聞社３０の記事受信システム３１で受信される。そして、新聞記事９０は、記事受信システム３ｌから同じく新聞社３０内の新聞制作システム３２に送信される。新聞制作システム３２には、記事受信システム３１で受信された新聞記事９０のデータが取り込まれ、取り込まれた新聞記事９０のデータを用いて新聞紙面を制作する処理が行われる。
【発明の効果】
【００４１】
本発明によれば、携帯電話機２０を用いて、新聞記事９０を編集することができる。このためパソコン１０を用いて新聞記事９０を編集する従来の場合と比較して、手狭で混雑している取材現場であっても、多大な時間や労力をかけることなく完成原稿を作成して送信することができる。
【００４２】
また、携帯電話機２０を用いて、完全な原稿をそのまま新聞社３０に送信できるため、従来のように新聞社３０で携帯電話機２０から送られてきた情報と、新聞社３０にある予定原稿のデータとを突き合わせる照合、確認が不要となる。
【００４３】
また、携帯電話機２０から、新聞記事９０をそのまま新聞社３０に送信できるため、新聞記事９０の送信に際して、パソコン１０と携帯電話機２０とをケーブル４０、４３によって接続することが不要であり、手狭な取材現場であっても、煩わしいケーブル接続無しに送信を迅速かつ確実に行うことができる。
【００４４】
また、携帯電話機２０から新聞社３０への送信を、パケット通信方式に従い行うようにしたので、従来のように輻輳の影響を大幅に受けるようなことがなくなり、完成原稿を迅速かつ確実に新聞社３０に送信することができる。
【発明を実施するための最良の形態】
【００４５】
以下、図面を参照して本発明の実施形態について説明する。
【００４６】
図２は、実施形態の新聞記事編集・送信システムを示している。
【００４７】
パソコン１０は、液晶ディスプレイ等の画面表示部１０ａを備えた携行可能なパソコン、たとえばノート型パソコンが使用される。
【００４８】
携帯電話機２０は、液晶ディスプレイ等の画面表示部２０ａと、入力操作部２０ｂとを備えた、カメラ付き携帯電話機が使用される。
【００４９】
図３は、図２に示すパソコン１０、携帯電話機２０内で行われる処理を示すフローチャートである。
【００５０】
図４（ａ）、（ｂ）、（ｃ）はそれぞれ、パソコン１０の画面表示部１０ａに表示される画面表示６１、６２、６３を示している。
【００５１】
図５（ａ）、（ｂ）はそれぞれ、携帯電話機２０の画面表示部２０ａに表示される画面表示７１、７２を示している。
【００５２】
（第１実施例）
取材現場の記者は、パソコン１０を展開して、パソコン１０を起動する。そして、ワードプロセッサ、エディタ等の文書作成用のソフトウエアが起動される。これにより、図４（ａ）の記事作成画面６１が画面表示部１０ａ上に表示される。そして、この記事作成画面６１上で、新聞記事９０が作成される。作成された新聞記事９０には、仮見だし９１として、たとえば「新聞・新聞博物館オープン（横浜）」が付与される（ステップ１０１）。
【００５３】
なお、図４（ａ）（あるいは図４（ｃ））では、新聞記事９０中の仮見だし９１の前には、「仮見だし」であることを示す記号「◎」が付与されている。この記号「◎」は、新聞記事制作システム３２で、新聞記事９０の文章中から仮見だし９１を識別する記号として使用される。また、携帯電話機２０側では、記号「◎」を探索する処理が行われ、記号「◎」が探索されると、記号「◎」が探索された行を仮見だし９１が書かれている行であると判別し、仮見だしとして表示したり、電子メールの題名とする処理が行われる。
【００５４】
つぎに、作成した新聞記事９０を２次元バーコード化するために、２次元バーコード化用のソフトウエアが起動される。これにより、図４（ｃ）の記事２次元バーコード化処理画面６３が画面表示部１０ａ上に表示される。
【００５５】
２次元バーコード化したい新聞記事は、記事選択部６３ｆで選択される。
【００５６】
記事選択部６３ｆの選択ボタン６３ｇをクリック操作して、「新聞・新聞博物館オープン（横浜）」という仮見だし９１を選択すると、この仮見だし９１に対応する新聞記事９０、つまり前述の文書作成用ソフトウエアを用いて作成された新聞記事９０が読み出され、記事２次元バーコード化処理画面６３上の記事表示部６３ａに表示される（ステップ１０２）。
【００５７】
つぎに、読み出された新聞記事９０の原稿の種類が、完全原稿（完成原稿；メール送信用原稿）であるか、またはメモ（未完成原稿）であるかが、「メール送信用」ボタン６３ｄ、または「メモ用」ボタン６３ｅのクリック操作によって、選択される（ステップ１０３）。
【００５８】
新聞記事９０の情報には、完全原稿用処理情報またはメモ用処理情報が付加される。
【００５９】
完全原稿用処理情報とは、新聞記事９０の情報に付加される情報であり、新聞記事９０が「完全原稿」であることを判別するための識別子としてのメール送信用付加情報「ＭＡＩＬ：」を含む情報である。
【００６０】
完全原稿用処理情報は、図４（ｂ）の処理情報編集画面６２で設定される。
【００６１】
同図４（ｂ）に示すように、完全原稿用処理情報は、新聞記事９０の送信先のメールアドレス６２ａ、メール送信用付加情報６２ｂ「ＭＡＩＬ：」、その他付加情報６２ｄ（記者の社員番号、支局名等）からなる。これら完全原稿用処理情報は、図４（ｂ）の処理情報編集画面６２上で編集される（ステップ１０５）。完全原稿用処理情報の設定が確定すると、図４（ｂ）の処理情報編集画面６２上の確定ボタン６２ｆがクリック操作される。そして確定された完全原稿用処理情報が、プログラム設定値として所定のメモリに記憶される（ステップ１０６）。
【００６２】
一方、メモ用処理情報とは、新聞記事９０の情報に付加される情報であり、新聞記事９０が「メモ（未完成原稿）」であることを判別するための識別子としてのメモ用付加情報「ＭＥＭＯ：」を含む情報である。
【００６３】
メモ用処理情報は、図４（ｂ）の処理情報編集画面６２で設定される。
【００６４】
同図４（ｂ）に示すように、メモ用処理情報は、新聞記事９０の送信先のメールアドレス６２ａ（これは必須ではない）、メモ用付加情報６２ｃ「ＭＥＭＯ：」、その他付加情報６２ｄ（記者の社員番号、支局名等）、未確定文字列記号６２ｅ（●  □  △  ○  ◇等）からなる。これらメモ用処理情報は、図４（ｂ）の処理情報編集画面６２上で編集される（ステップ１０５）。メモ用処理情報が確定すると、図４（ｂ）の処理情報編集画面６２上の確定ボタン６２ｆがクリック操作される。そして確定されたメモ用処理情報が、プログラム設定値として所定のメモリに記憶される。ここで、メモ（未完成原稿）の新聞記事９０に、未確定の文字列を示す記号として「●  □」が含まれているとすると（図４（ａ）参照）、処理情報編集画面６２で、未確定文字列記号６２ｅとして、「●  □」が設定される（ステップ１０６）。
【００６５】
新聞記事９０が完全原稿である場合には、図４（ｃ）の記事２次元バーコード化処理画面６３上の「メール送信用」ボタン６３ｄがクリック操作される。その結果、ステップ１０４に移行され、プログラム設定値が読み出されて、新聞記事９０に対して、完全原稿用処理情報を付加する処理が実行される（ステップ１０４）。
【００６６】
同様にして、新聞記事９０がメモ（未完成原稿）である場合には、記事２次元バーコード化処理画面６３上の、「メモ用」ボタン６３ｅがクリック操作される。その結果、ステップ１０７に移行され、プログラム設定値が読み出されて、新聞記事９０に対して、メモ用処理情報を付加する処理が実行される（ステップ１０７）。
【００６７】
つぎに、新聞記事９０と、これに付加された処理情報（完全原稿用処理情報あるいはメモ用処理情報）とが、２次元コード５０に変換される（ステップ１０８）。
【００６８】
２次元バーコードの現在の規格では、１つの２次元バーコード５０に含ませることができる情報量には、制限がある（全角１６７文字）。また、２次元バーコードの現在の規格では、２次元バーコード５０を複数毎連結してデータを表現できる。すなわち、最大１６枚１組の２次元バーコードでデータを表現できることができ、数値上２６７２文字まで取り込むことが可能である。一般的な新聞記事は３００〜５００文字であるため、２次元バーコード５０を２〜４枚連結すれば、２次元バーコード５０に、新聞記事９０（および処理情報）を含ませることができる。
【００６９】
こうして新聞記事９０（および処理情報）を含んだ２次元バーコード５０は、パソコン１０内の所定のメモリに記憶される（ステップ１１０）。
【００７０】
かかるメモリから、保存されている新聞記事９０（および処理情報）の２次元バーコード５０のデータが呼び出され（ステップ１１１）、２次元コード５０が、図４（ｃ）の記事２次元バーコード化処理画面６３上の表示部６３ｂに表示される（ステップ１１３、１１４）。新聞記事９０（および処理情報）が、１枚の２次元バーコード５０に収まっている場合には（ステップ１１２の判断ＮＯ）、１枚の２次元バーコード５０が、図４（ｃ）の記事２次元バーコード化処理画面６３の表示部６３ｂに表示される（ステップ１１３）。これに対して、新聞記事９０（および処理情報）が、複数枚の２次元バーコード５０に収められている場合には（ステップ１１２の判断ＹＥＳ）、最初の２次元バーコード５０が、図４（ｃ）の記事２次元バーコード化処理画面６３の表示部６３ｂに表示されるが、スライドバー６３ｃをスライド操作することで、順次、新聞記事９０（および処理情報）を構成する各２次元バーコード５０を表示部６３ｂに表示させることができる（ステップ１１４）。
【００７１】
つぎに、記者は、携帯電話機２０のカメラ機能を起動させて、シャッタを作動させて、パソコン１０の画面表示部１０ａ上の２次元バーコード５０を撮影する（ステップ２０１）。
【００７２】
つぎに、撮影された２次元バーコード５０が、新聞記事９０の情報と処理情報とに復合される（ステップ２０２）。
【００７３】
つぎに、復合された処理情報に含まれる識別子（メモ用付加情報６２ｃ「ＭＥＭＯ：」、メール送信用付加情報６２ｂ「ＭＡＩＬ：」）に基づいて、新聞記事９０がメモ（未完成原稿）であるか、または完全原稿であるかが判別される（ステップ２０３）。
【００７４】
新聞記事９０に付加されている識別子が「ＭＥＭＯ：」である場合には、新聞記事９０がメモ（未完成原稿）であると判別され（ステップ２０３の判断「メモ（未完成原稿）」）、携帯電話機２０の画面表示部２０ａが、図５（ａ）に示す記事編集画面７１に切り換えられる。この記事編集画面７１上の記事表示部７１ａには、復合された新聞記事９０が表示される。また、復合された仮見だし「新聞・新聞博物館オープン（横浜）」９１についても、仮見だし表示部７１ｂに表示される。
【００７５】
メモ（未完成原稿）の新聞記事９０には、未確定文字列記号６２ｅ「●  □」が含まれている。記事編集画面７１上には、新聞記事９０中の未確定文字列記号６２ｅ「●  □」が表示される。また、新聞記事９０中の未確定文字列記号６２ｅ「●  □」それぞれに対応する部分編集表示部７１ｃ、７１ｄが設けられる。
【００７６】
また、記事編集画面７１上には、「保存」選択部７１ｅ、「記事送信」選択部７１ｆが設けられている。
【００７７】
携帯電話機２０の入力操作部２０ｂを操作すると、その操作に応じて、記事編集画面７１上の部分編集表示部７１ｃ、７１ｄに、入力された文字、数字、符合、記号等が表示されるとともに、その入力された文字等に応じて、記事表示部７１ｂに表示された新聞記事９０の内容が変化する。すなわち、記事編集画面７１上で、新聞記事９０を編集する操作が行われる。
【００７８】
たとえば、記者が、取材現場で、新聞記事９０中の未確定の情報である「新聞博物館が横浜市にオープンする月日」が、「４月１日」であるという情報を入手すると、その情報を、携帯電話機２０の入力操作部２０ｂを操作して入力する。
【００７９】
携帯電話機２０の入力操作部２０ｂが操作されて、未確定文字列記号「●」に「４」を入力し、未確定文字列記号「□」に「１」を入力すると、記事編集画面７１上の未確定文字列記号「●」に対応する部分編集表示部７１ｃに、「４」が表示されるとともに、未確定文字列記号「□」に対応する部分編集表示部７１ｄに、「１」が表示される。また、その入力操作に応じて、記事表示部７１ｂに表示されている新聞記事９０中の「新聞博物館が、来年●月□日横浜市にオープンする。」の内容が、「新聞博物館が、来年４月１日横浜市にオープンする。」に変化する。
【００８０】
なお、新聞記事９０、仮見だし９１中の未確定文字列記号●、□以外の確定した文字等についても、見直す必要があれば、携帯電話機２０の入力操作部２０ｂを操作することで、編集することができる（ステップ２０４）。
【００８１】
新聞記事９０、仮見だし９１の編集が終了すると、記者は、編集した新聞記事９０を保存するか、新聞社３０に送信するかを選択する。
【００８２】
記者が、新聞記事９０を更に編集する余地があり、未だ新聞社３０に送信はしないと判断したときには、記事編集画面７１上の「保存」選択部７１ｅが選択される。選択は、携帯電話機２０の入力操作部２０ｂを操作することで行われる。記事編集画面７１上の「保存」選択部７１ｅが選択されると、メモリに、新聞記事９０および仮見だし９１の情報が記憶される（ステップ２０６）。
【００８３】
携帯電話機２０の画面表示部２０ａが、再度、図５（ａ）に示す記事編集画面７１に切り換えられると、メモリから新聞記事９０（および仮見だし９１）の情報が読み出され（ステップ２０５）、記事編集画面７１上の記事表示部７１ａに、新聞記事９０が仮見だし９１とともに表示されるとともに、仮見だし表示部７１ｂに、仮見だし９１（「新聞・新聞博物館オープン（横浜）」）が表示され、新聞記事９０（および仮見だし９１）を再度、編集することができる（ステップ２０４）。
【００８４】
新聞記事９０の編集を終え、完全原稿として送信する場合には、記事編集画面７１上の「記事送信」選択部７１ｆが選択される。選択は、携帯電話機２０の入力操作部２０ｂを操作することで行われる。記事編集画面７１上の「記事送信」選択部７１ｆが選択されると、ステップ２０８に移行され、携帯電話機２０の画面表示部２０ａが、図５（ｂ）に示すメール送信画面７２に切り替わる（ステップ２０８）。
【００８５】
メール送信画面７２には、処理情報編集画面６２（図４（ｂ））で設定されたメールアドレス６２ａが、表示部７２ａに表示される。また、仮見だし９１が正式の題名として、表示部７２ｂに表示される。また、携帯電話機２０で編集された新聞記事９０が仮見だし９１とともに表示部７２ｃに表示される。なお、処理情報編集画面６２（図４（ｂ））でメールアドレス６２ａが設定されていなかった場合には、携帯電話機２０の入力操作部２０ｂを操作して、新聞記事９０の送信先であるメールアドレスを設定して、表示部７２ａに、メールアドレスを表示させることもできる（ステップ２０８）。
【００８６】
一方、新聞記事９０に付加されている識別子が「ＭＡＩＬ：」である場合には、新聞記事９０が完全原稿であると判別され（ステップ２０３の判断「完全原稿」）、携帯電話機２０の画面表示部２０ａが、図５（ｂ）に示すメール送信画面７２に切り換えられる。メール送信画面７２には、処理情報編集画面６２（図４（ｂ））で設定されたメールアドレス６２ａが、表示部７２ａに表示される。また、仮見だし９１が正式の題名として、表示部７２ｂに表示される。また、パソコン１０内で既に完成されていた新聞記事９０が表示部７２ｃに表示される（ステップ２０８）。
【００８７】
記者が新聞記事９０を新聞社３０に送信すべきと判断したときには、携帯電話機２０の入力操作部２０ｂが操作されて、メール送信画面７２の「メール送信」選択部７２が選択される。これにより、新聞記事９０（および見だし９０）が電子メールの形式に変換されて（ステップ２０９）、図２に示すように、パケット通信方式にしたがい、メールサーバ４６に送信される。そして、メールサーバ４６からインターネット４５を経由して、図６（ａ）に示すように、新聞社３０の記事受信システム３１のメール受信・解析システム３１Ｂで受信される。新聞記事９０は、記事受信システム３１のメール受信・解析システム３１Ｂから同じく新聞社３０内の新聞制作システム３２に送信される。新聞制作システム３２には、記事受信システム３１のメール受信・解析システム３１Ｂで受信された新聞記事９０のデータが取り込まれ、取り込まれた新聞記事９０のデータを用いて新聞紙面を制作する処理が行われる。
【００８８】
なお、上述した実施例では、記事編集画面７１の「記事送信」選択部７１ｆを選択することで、メール送信画面７２に切り換え、さらに、メール送信画面７２上で、「メール送信」選択部７２ｄを選択することを条件として、新聞記事９０を電子メール形式に変換して（ステップ２０９）、パケット通信方式にしたがい新聞社３０に送信するようにしているが、記事編集画面７１の「記事送信」選択部７１ｆを選択することのみを条件として（メール送信画面７２に切り換えることなく）、新聞記事９０を電子メール形式に変換して、パケット通信方式にしたがい新聞社３０に送信してもよい。
【００８９】
また、上述した実施例では、携帯電話機２０内で新聞記事９０を電子メールの形式に変換して、新聞社３０に送信しているが、図２、図６（ｂ）に示すように、携帯電話機２０から、記事受信サーバ（ＷＥＢサーバ）４７を経由して、インターネット４５に接続して、インターネット４５を介して記事受信システム３１の記事受信・送信システム３１Ａに送信してもよい。この場合も、新聞記事９０はパケット通信方式にしたがい送信される。そして、新聞社３０の記事受信・送信システム３１Ａで、新聞記事９０が電子メール形式に変換されて、同じ新聞社３０内のメール受信・解析システム３１Ｂに電子メール形式で送信され、さらに電子メール化された新聞記事９０の情報がメール受信・解析システム３１Ｂから新聞制作システム３２に送信される。
【００９０】
以上のように、図２に示すように、パソコン１０内で新聞記事９０の情報が２次元バーコード５０に変換され（Ｓ１）、ついで、パソコン１０の画面表示部１０ａ上に２次元バーコード５０が表示され（Ｓ２）、ついで、パソコン１０の画面表示部１０ａ上に表示された２次元バーコード５０がカメラ付き携帯電話機２０によって撮影され（Ｓ３）、ついで、撮影された２次元バーコード５０が、携帯電話機２０内で、新聞記事９０の情報に復合され（Ｓ４）、ついで、復合された新聞記事９０が携帯電話機２０内で編集され（Ｓ５）、ついで、編集された新聞記事９０が携帯電話機２０から新聞社３０の新聞記事受信システム３１に送信される（Ｓ６）。すなわち、新聞記事９０がパケット通信方式にしたがい（第１１発明）、インターネット４５を経由して、新聞社３０のメールサーバ４６またはＷＥＢサーバ（記事受信サーバ）４７に送信され、サーバ４６または４７を介して新聞社３０の記事受信システム３１で受信される。そして、新聞記事９０は、記事受信システム３ｌから同じく新聞社３０内の新聞制作システム３２に送信される。新聞制作システム３２には、記事受信システム３１で受信された新聞記事９０のデータが取り込まれ、取り込まれた新聞記事９０のデータを用いて新聞紙面を制作する処理が行われる。
【００９１】
以上説明したように本第１実施例によれば、携帯電話機２０を用いて、新聞記事９０を編集することができる。このためパソコン１０を用いて新聞記事９０を編集する従来の場合と比較して、手狭で混雑している取材現場であっても、多大な時間や労力をかけることなく迅速かつ確実に完成原稿を作成、送信することができる。
【００９２】
また、携帯電話機２０を用いて、完全な原稿をそのまま新聞社３０に送信できるため、従来のように新聞社３０で携帯電話機２０から送られてきた情報と、新聞社３０にある予定原稿のデータとを突き合わせる照合、確認が不要となる。
【００９３】
また、携帯電話機２０から、新聞記事９０をそのまま新聞社３０に送信できるため、新聞記事９０の送信に際して、パソコン１０と携帯電話機２０とをケーブル４０、４３によって接続することが不要であり、手狭な取材現場であっても、煩わしいケーブル接続無しに送信を迅速かつ確実に行うことができる。
【００９４】
また、携帯電話機２０から新聞社３０への送信を、パケット通信方式に従い行うようにしたので、従来のように輻輳によって通信経路の確立が困難となるようなことはなく、完成原稿を迅速かつ確実に新聞社３０に送信することができる。
【００９５】
（第２実施例）
上述した第１実施例では、取材現場でパソコン１０を設置し展開する場合を想定している。しかし、取材現場でパソコン１０を設置し展開するスペースする余裕がないことが予想される場合などには、取材現場に向かう前に新聞社３０等の場所でメモ（未完成原稿）を作成し、そのメモの２次元コード５０を携帯電話機２０によって撮影しておき、取材現場では、携帯電話機２０を操作するだけでメモ（未完成原稿）を完全原稿に仕上げて、その完全原稿を新聞社３０に送信するという実施も可能である。
【００９６】
また、上述した取材現場に向かう前に２次元バーコード５０を撮影しておき取材現場には携帯電話機２０のみを持っていく場合には、２次元バーコード５０を表示するコンピュータとしては、必ずしもノートパソコン等の携行可能なパソコンでなくてもよく、第１実施例で説明したパソコン１０と同様の処理を行うことができるのであれば、デスクトップ型のパソコン、あるいはミニコン、大型のコンピュータであってもよい。
【００９７】
（第３実施例）
上述した実施例では、パソコン１０の画面表示部１０ａに２次元バーコード５０を表示させて、表示された２次元バーコード５０を携帯電話機２０によって撮影するようにしているが、撮影すべき２次元バーコード５０は、必ずしもパソコン１０の画面表示部１０ａに表示されたものに限られるわけではない。
【００９８】
たとえば、取材現場にパソコン１０がなく、また、取材現場に向かう前に携帯電話機２０によって２次元バーコード５０を撮影することもしていなかった場合には、新聞社３０等からファクシミリ等によって、紙媒体に２次元バーコード５０が印刷等されたものを取材現場に送信してもらい、その紙媒体上の２次元バーコード５０を携帯電話機２０によって撮影するという実施も可能である。
【００９９】
（第４実施例）
上述した実施例では、携帯電話機２０によって２次元バーコード５０を撮影することを想定しているが、携行可能な小型の端末であって、携帯電話機２０と同等のカメラ機能、メール送信機能、表示機能が備わっており、第１実施例で説明した携帯電話機２０と同等を処理を行うことができる端末であれば、電話機能は必ずしも備わっていなくてもよい。すなわち、本発明は、携帯電話機２０に代えて、電話機能を有しない小型携帯端末を使用する実施も可能である。
【０１００】
また、上述した実施例では、新聞社３０に新聞記事を送信するようにしているが、本発明は、新聞以外の雑誌等、各種情報媒体に掲載すべき記事を編集し、送信する場合に、適用することができる。
【図面の簡単な説明】
【０１０１】
【図１】図１は、従来の新聞記事編集・送信システムの構成図である。
【図２】図２は、実施形態の新聞記事編集・送信システムの構成図である。
【図３】図３は、実施例の処理手順を示すフローチャートである。
【図４】図４（ａ）、（ｂ）、（ｃ）はそれぞれ、パソコンの画面表示部の表示画面を示す図である。
【図５】図５（ａ）、（ｂ）はそれぞれ、携帯電話機の画面表示部の表示画面を示す図である。
【図６】図６は、図２とは異なる通信経路を用いて、携帯電話機から新聞社に新聞記事の情報を送信する場合の構成図である。
【符号の説明】
【０１０２】
１０  パソコン（パーソナルコンピュータ）  １０ａ  画面表示部  ２０  携帯電話機  ２０ａ  画面表示部  ２０ｂ  入力操作部  ３０  新聞社  ３１  記事受信システム  ３２  新聞制作システム
【図１】
2006293709.tif 000003
【図２】
2006293709.tif 000004
【図３】
2006293709.tif 000005
【図４】
2006293709.tif 000006
【図５】
2006293709.tif 000007
【図６】
2006293709.tif 000008
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
記事を編集して、編集した記事を記事受信システムに送信する記事編集・送信システムであって、
パーソナルコンピュータには、
選択操作に応じて、記事が未完成記事であるか、または完成記事であるかを判別するための処理情報を記事情報に付加して、これら付加された処理情報と記事情報とを２次元バーコードに変換し、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事情報と、処理情報とに復号する復号手段と、
復号された処理情報の内容に基づいて、未完成記事であるか、または完成記事であるかを判別する判別手段と、
未完成記事であるか、または完成記事であるかに応じて、復号された記事情報を、記事編集画面、または記事送信画面に、表示する表示手段と、
記事編集画面に記事が表示された場合には、操作に応じて記事を編集する記事編集手段と、
記事送信画面に記事が表示された場合には、操作に応じて記事を記事受信システムに送信する送信手段と
が設けられていること
を特徴とする記事編集・送信システム。
【請求項２】
記事を編集して、編集した記事を記事受信システムに送信する記事編集・送信システムであって、
パーソナルコンピュータには、
選択操作に応じて、記事が未完成記事であるか、または完成記事であるかを判別するための処理情報を記事情報に付加して、これら付加された処理情報と記事情報とを２次元バーコードに変換し、
画面上に２次元バーコードを表示する処理
を行うプログラムがインストールされているとともに、
携行可能な小型の端末には、
パーソナルコンピュータの画面上に表示された２次元バーコードを撮影するカメラ手段と、
撮影された２次元バーコードを、記事情報と、処理情報とに復号する復号手段と、
復号された処理情報の内容に基づいて、未完成記事であるか、または完成記事であるかを判別する判別手段と、
未完成記事であるか、または完成記事であるかに応じて、復号された記事情報を、記事編集画面、または記事送信画面に、表示する表示手段と、
記事編集画面に記事が表示された場合には、操作に応じて記事を編集する記事編集手段と、
記事送信画面に記事が表示された場合には、操作に応じて記事を記事受信システムに送信する送信手段と
が設けられていること
を特徴とする記事編集・送信システム。
【請求項３】
前記パーソナルコンピュータは、携行可能なパーソナルコンピュータであること
を特徴とする請求項１または２記載の記事編集・送信システム。
【請求項４】
記事は、新聞記事であり、記事受信システムは、新聞記事受信システムであること
を特徴とする請求項１または２記載の記事編集・送信システム。
【請求項５】
携帯電話機の送信手段は、パケット通信方式にしたがい、編集した記事を記事受信システムに送信する送信手段であること
を特徴とする請求項１記載の記事編集・送信システム。
【請求項６】
２次元バーコードには、送信先のメールアドレスの情報が付加されており、
前記復号手段は、２次元バーコード中のメールアドレスの情報を復号し、
前記送信手段は、復号されたメールアドレスに向けて記事を送信すること
を特徴とする請求項１記載の記事編集・送信システム。
【請求項７】
新聞記事の編集・送信に用いられる携帯電話機であって、
新聞記事の送信先のメールアドレスの情報と、新聞記事が未完成記事であるか、完成記事であるかを判別するための処理情報と、新聞記事情報とを含む２次元バーコードを、撮影するカメラ手段と、
撮影された２次元バーコードを、新聞記事情報と、処理情報とに復号する復号手段と、
復号された処理情報の内容に基づいて、新聞記事が未完成記事であるか、または完成記事であるかを判別する判別手段と、
新聞記事が未完成記事であるか、または完成記事であるかに応じて、復号された新聞記事情報を、記事編集画面、または記事送信画面に、表示する表示手段と、
記事編集画面に新聞記事が表示された場合には、操作に応じて新聞記事を編集する記事編集手段と、
記事送信画面に新聞記事が表示された場合には、操作に応じて記事を、復号されたメールアドレスに向けて送信する送信手段と
が設けられていること
を特徴とする新聞記事編集・送信用の携帯電話機。
【請求項８】
２次元バーコードの処理情報には、新聞記事中の未確定の文字列に対応する未確定文字列記号が含まれており、
記事編集画面には、未確定文字列を含む新聞記事と、未確定文字列に対応する未確定文字列記号とが表示されること
を特徴とする請求項１または２記載の記事編集・送信システム。
【請求項９】
２次元バーコードの処理情報には、新聞記事中の未確定の文字列に対応する未確定文字列記号が含まれており、
記事編集画面には、未確定文字列を含む新聞記事と、未確定文字列に対応する未確定文字列記号とが表示されること
を特徴とする請求項７記載の新聞記事編集・送信用の携帯電話機。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
記事を編集して、編集した記事を記事受信システムに送信する記事編集・送信システムであって、
パーソナルコンピュータには、
選択操作に応じて、記事が未完成記事であるか、または完成記事であるかを判別するための処理情報を記事情報に付加して、これら付加された処理情報と記事情報とを２次元バーコードに変換し、
画面上に２次元バーコードを表示する処理
を行うプログラムがインストールされているとともに、
携帯電話機には、
パーソナルコンピュータの画面上に表示された２次元バーコードを撮影するカメラ手段と、
撮影された２次元バーコードを、記事情報と、処理情報とに復号する復号手段と、
復号された処理情報の内容に基づいて、未完成記事であるか、または完成記事であるかを判別する判別手段と、
未完成記事であるか、または完成記事であるかに応じて、復号された記事情報を、記事編集画面、または記事送信画面に、表示する表示手段と、
記事編集画面に記事が表示された場合には、操作に応じて記事を編集する記事編集手段と、
記事送信画面に記事が表示された場合には、操作に応じて記事を記事受信システムに送信する送信手段と
が設けられていること
を特徴とする記事編集・送信システム。
【請求項２】
前記パーソナルコンピュータは、携行可能なパーソナルコンピュータであること
を特徴とする請求項１記載の記事編集・送信システム。
【請求項３】
記事は、新聞記事であり、記事受信システムは、新聞記事受信システムであること
を特徴とする請求項１記載の記事編集・送信システム。
【請求項４】
携帯電話機の送信手段は、パケット通信方式にしたがい、編集した記事を記事受信システムに送信する送信手段であること
を特徴とする請求項１記載の記事編集・送信システム。
【請求項５】
２次元バーコードには、送信先のメールアドレスの情報が付加されており、
前記復号手段は、２次元バーコード中のメールアドレスの情報を復号し、
前記送信手段は、復号されたメールアドレスに向けて記事を送信すること
を特徴とする請求項１記載の記事編集・送信システム。
【請求項６】
新聞記事の編集・送信に用いられる携帯電話機であって、
新聞記事の送信先のメールアドレスの情報と、新聞記事が未完成記事であるか、完成記事であるかを判別するための処理情報と、新聞記事情報とを含む２次元バーコードを、撮影するカメラ手段と、
撮影された２次元バーコードを、新聞記事情報と、処理情報とに復号する復号手段と、
復号された処理情報の内容に基づいて、新聞記事が未完成記事であるか、または完成記事であるかを判別する判別手段と、
新聞記事が未完成記事であるか、または完成記事であるかに応じて、復号された新聞記事情報を、記事編集画面、または記事送信画面に、表示する表示手段と、
記事編集画面に新聞記事が表示された場合には、操作に応じて新聞記事を編集する記事編集手段と、
記事送信画面に新聞記事が表示された場合には、操作に応じて記事を、復号されたメールアドレスに向けて送信する送信手段と
が設けられていること
を特徴とする新聞記事編集・送信用の携帯電話機。
【請求項７】
２次元バーコードの処理情報には、新聞記事中の未確定の文字列に対応する未確定文字列記号が含まれており、
記事編集画面には、未確定文字列を含む新聞記事と、未確定文字列に対応する未確定文字列記号とが表示されること
を特徴とする請求項１記載の記事編集・送信システム。
【請求項８】
２次元バーコードの処理情報には、新聞記事中の未確定の文字列に対応する未確定文字列記号が含まれており、
記事編集画面には、未確定文字列を含む新聞記事と、未確定文字列に対応する未確定文字列記号とが表示されること
を特徴とする請求項６記載の新聞記事編集・送信用の携帯電話機。